(57)【要約】      （修正有）【課題】一脚で座卓としてもテーブルとしても使用でき、また高級感のある漆塗りのデザインを損なうこともなく、しかも、簡単な構造で製造効率の向上も図れる卓面レベル可変式の座卓兼用テーブルを提供する。【解決手段】天板１と、天板１下面に折畳み自在にヒンジ連結された長脚股木材２と、この長脚股木材２の股間域に配置された短脚股木材３と、長脚股木材２及び短脚股木材３の両方のバー材を横断するように起倒可能に枢支されたクリップレバーにより、両バー材を固定できるクリップ機構４とを含んで構成する。クリップ機構４のクリップレバーには所定位置に長脚股木材２及び短脚股木材３に対応する幅の凹溝を設けて、当該凹溝に起立させた長脚股木材２或いは短脚股木材３のバー材を掛嵌せしめる。よって、起立させた脚部股木材を立脚状態に安定保持可能となる。【選択図】図１
0003153234.tif 000002
【実用新案登録請求の範囲】
【請求項１】
上面が卓面となる天板１と；一対の脚柱21・21にバー材22をコ字型に連結して成り、かつ、前記天板１の下面に折畳み自在にヒンジ連結された長脚股木材２と；この長脚股木材２の股間域に配置され、かつ、一対の脚柱31・31にバー材32を連結して成る短脚股木材３と；前記天板１下面に、前記長脚股木材２及び短脚股木材３の両方のバー材を横断するように起倒可能に枢支されたクリップレバー41が、スプリング材43により天板１下面方向に付勢されて、その間に挟み込んだ前記両バー材を固定できるクリップ機構４とを含んで構成されており、かつ、
前記クリップ機構４のクリップレバー41には所定位置に長脚股木材２及び短脚股木材３に対応する幅の凹溝41a・41aを設けて、当該凹溝41aに起立させた長脚股木材２或いは短脚股木材３のバー材を掛嵌せしめることにより、前記起立させた脚部股木材を立脚状態に安定保持可能としたことを特徴とする卓面レベル可変式の座卓兼用テーブル。
【請求項２】
天板１及び長脚股木材２、短脚股木材３の主材に漆塗りを施した木材が使用されていることを特徴とする請求項１記載の卓面レベル可変式の座卓兼用テーブル。
【請求項３】
クリップ機構４が、クリップレバー41と；このクリップレバー41を揺動可能に枢支した状態で天板１下面に取着される枢支部材42と；前記クリップレバー41の裏面と枢支部材42の基板に両端が固定されるスプリング材43とから構成されていることを特徴とする請求項１または２に記載の卓面レベル可変式の座卓兼用テーブル。
【請求項４】
天板１下面に対し長脚股木材２、短脚股木材３が回転抵抗を有するヒンジ部材Ｈによって連結されていることを特徴とする請求項１〜３の何れか一つに記載の卓面レベル可変式の座卓兼用テーブル。
【考案の詳細な説明】
【技術分野】
【０００１】
本考案は、座卓兼用テーブルの改良、更に詳しくは、一脚で座卓としてもテーブルとしても使用でき、しかも、高級感のある漆塗りのデザインを損なわず、製造効率の向上も図れる卓面レベル可変式の座卓兼用テーブルに関するものである。
【背景技術】
【０００２】
周知のとおり、宿泊施設の個室や宴会場などには、床や畳に座して使用する座卓や椅子に腰掛けて使用するテーブルを設置するのが一般的であるが、設置する座卓やテーブルを宿泊客の要望に応じて選択可能にするためには、両方ともある程度の数を揃えておく必要がある。このため、施設側にとっては設備コストが負担となるだけでなく保管スペースの確保やテーブルと座卓の入れ替え作業が大変になるなど多くの難点を抱えていた。
【０００３】
そこで、従来においては、＜特許文献１＞にあるように天板下面に長さの異なる折畳み式の脚部を設けて、短い方の脚部を立てると座卓となり、また長い方の脚部を立てるとテーブルとなる座卓兼用テーブルが提案された。
【０００４】
しかしながら、上記＜文献１＞に係る従来技術は、長い方の脚部を立脚した状態に保持するために脚部と天板下面との間に斜めに金属ステー部材を入れて補強する構造を採用していたため、漆塗りの木製テーブルに当該技術を採用した場合に、前記金属ステー部材が漆塗りのデザインになじまないという問題があった。
【０００５】
一方、＜特許文献２＞には、天板下面に配設された固定具によって立脚状態に保持された短脚部に長脚部を連結固定することにより、長脚部を短脚部と共に立脚状態に保持する構造も開示されており、このような構造によって金属ステー部材を省略することができるものの、＜文献２＞に係る技術では長脚部及び短脚部に取着した連結金具が陳腐な印象を与えて漆塗りの高級感が損なわれる欠点があった。
【０００６】
しかも、上記＜文献２＞に係る技術は、長脚部と短脚部に連結金具を取り付けた上に、長脚部を折り畳んだ状態に保持するために長脚部と天板下面に着脱機構を設けなければならなかったため、構造が複雑化して製造効率が悪化し易かった。
【先行技術文献】
【特許文献】
【０００７】
【特許文献１】実開平２−１３４２２号公報（第２−７頁、第１−３図）
【特許文献２】特開２００２―６５３６２号公報（第２−７頁、第１−８図）
【考案の概要】
【考案が解決しようとする課題】
【０００８】
本考案は、上記の如き問題に鑑みて為されたものであり、その目的とするところは、一脚で座卓としてもテーブルとしても使用でき、また高級感のある漆塗りのデザインを損なうこともなく、しかも、簡単な構造で製造効率の向上も図れる卓面レベル可変式の座卓兼用テーブルを提供することにある。
【課題を解決するための手段】
【０００９】
本考案者が上記課題を解決するために採用した手段を添付図面を参照して説明すれば次のとおりである。
【００１０】
即ち、本考案は、上面が卓面となる天板１と；一対の脚柱21・21にバー材22をコ字型に連結して成り、かつ、前記天板１下面に折畳み自在にヒンジ連結された長脚股木材２と；この長脚股木材２の股間域に配置され、かつ、一対の脚柱31・31にバー材32を連結して成る短脚股木材３と；前記天板１下面に、前記長脚股木材２及び短脚股木材３の両方のバー材(22及び32)を横断するように起倒可能に枢支されたクリップレバー41が、スプリング材43により天板１下面方向に付勢されて、その間に挟み込んだ前記両バー材(22及び32)を固定できるクリップ機構４とを含んで構成し、かつ、
前記クリップ機構４のクリップレバー41には所定位置に長脚股木材２及び短脚股木材３に対応する幅の凹溝41a・41aを設けて、当該凹溝41aに起立させた長脚股木材２或いは短脚股木材３のバー材(22又は32)を掛嵌せしめることにより、前記起立させた脚部股木材を立脚状態に安定保持可能とした点に特徴がある。
【００１１】
また、本考案においては、上記課題を解決するために、必要に応じて上記手段に加え、天板１及び長脚股木材２、短脚股木材３の主材に漆塗りを施した木材を使用するという技術的手段を採用することもできる。
【００１２】
また、本考案においては、上記課題を解決するために、必要に応じて上記手段に加え、クリップ機構４を、クリップレバー41と；このクリップレバー41を揺動可能に枢支した状態で天板１下面に取着される枢支部材42と；前記クリップレバー41の裏面と枢支部材42の基板に両端が固定されるスプリング材43とから構成するという技術的手段を採用するとこともできる。
【００１３】
また、本考案においては、上記課題を解決するために、必要に応じて上記手段に加え、天板１下面に対し長脚股木材２、短脚股木材３を回転抵抗を有するヒンジ部材Ｈによって連結するという技術的手段を採用することもできる。
【考案の効果】
【００１４】
本考案においては、一対の脚柱にバー材をコ字型に連結して作製した長脚部材と短脚部材とを、天板下面に折り畳み自在に設けると共に、天板下面には、前記長脚部材と短脚部材の両方のバー材を天板下面との間に挟み込んで固定できるクリップレバーを備えたクリップ機構を設けたことにより、長脚部材と短脚部材を折り畳んだ状態で両バー材をクリップレバーで固定すればその状態を保持できる。
【００１５】
一方、上記クリップ機構のクリップレバーには、所定位置に長脚部材及び短脚部材に対応する凹溝を設けているため、この凹溝に起立させた長脚部材或いは短脚部材のバー材を嵌装させれば、起立させた脚部部材を立脚状態に安定保持できる。
【００１６】
これにより、短脚部材を立脚させれば卓面レベルの低い座卓となり、また長脚部材を立脚させれば卓面レベルの高いテーブルとなる卓面レベルの変更が可能なテーブルを構成できるため、このようなテーブルを使用することで宿泊施設等は、少ない設備投資及び労力で座卓とテーブルの選択を求める客からの要望に応えることが可能となる。
【００１７】
また、上記構造を採用することにより、金属ステー部材や連結金具は不要となるため、クリップレバーが天板下方の死角位置にくるようにクリップ機構を設ければ、金属部材が外観上目立つようなことはなく、木製テーブルに施した漆塗りの高級感が損なわれる心配もない。
【００１８】
そしてまた、本考案においては、クリップ機構を用いて長脚部材を折り畳んだ状態に保持できるため、長脚部材を天板下面に着脱する余計な機構は不要となり、これによって構造をシンプル化して製造効率の向上も図ることができる。
【００１９】
したがって、本考案により、座卓とテーブルの使い分けが求められる場面において極めて利便性が高いだけでなく、意匠面や製造面においても優れた座卓兼用テーブルを提供できることから、本考案の実用的利用価値は頗る高い。
【図面の簡単な説明】
【００２０】
【図１】本考案の実施例１における座卓兼用テーブルを表わす全体下面図である。
【図２】本考案の実施例１における座卓兼用テーブルを表わす拡大斜視図である。
【図３】本考案の実施例１における座卓兼用テーブルの折畳み構造を表わす説明断面図である。
【図４】本考案の実施例１における座卓兼用テーブルの折畳み状態を表わす全体側面図である。
【図５】本考案の実施例１における脚部股木材を起立させる状態を表わす状態説明図である。
【図６】本考案の実施例１における長脚股木材を立脚保持した状態を表わす拡大斜視図である。
【図７】本考案の実施例１における長脚股木材を立脚保持したテーブルを表わす全体側面図である。
【図８】本考案の実施例１における短脚股木材を立脚保持した状態を表わす拡大斜視図である。
【図９】本考案の実施例１における短脚股木材を立脚保持した座卓を表わす全体側面図である。
【考案を実施するための形態】
【００２１】
『実施例１』
本考案の実施例１は、図１から図９に示される。同図において、符号１で指示するものは、天板であり、符号２で指示するものは、長脚股木材である。また、符号３で指示するものは、短脚股木材であり、符号４で指示するものは、クリップ機構である。
【００２２】
次に、実施例１の構成を以下から説明する。まず実施例１では、上面が卓面となる天板１の下面に、長脚股木材２及び短脚股木材３をヒンジ部材Ｈで連結して両者を天板１に対し折り畳み可能にしている(図１、図２、図３参照)。
【００２３】
また、上記長脚股木材２及び短脚股木材３は、一対の脚柱(21・21又は31・31)にバー材(22又は32)をコ字型に連結して作製し、更に長脚股木材２については、堅牢な構造とするために下部に補強バー材33を付設している。
【００２４】
なお実施例１においては、上記天板１や長脚股木材２、短脚股木材の主材として漆塗りに適した木材を切り出した角材や板材を使用している。
【００２５】
一方、上記天板１下面には、クリップレバー41の一端部を回動自在に連結した枢支部材42を取着すると共に、前記クリップレバー41を、長脚股木材２と短脚股木材３の両方のバー材(22及び32)を横断するように配置してクリップ機構４を設けている。
【００２６】
また、上記クリップ機構４のクリップレバー41に関しては、クリップレバー41の裏面と枢支部材42の基板にスプリング材43の両端をそれぞれ固着することにより、クリップレバー41が天板１下面方向に付勢されるようにしており、そしてまた、クリップレバー41の胴部には、所定位置に長脚股木材２及び短脚股木材３に対応する幅の凹溝41a・41aを設けている。
【００２７】
そして上記のように構成したことにより、クリップ機構４のクリップレバー41と天板１下面との間に長脚股木材２と短脚股木材３の両バー材(22及び32)を挟み込んで、これらを回転しないように固定することにより、図４に示すように天板１に脚部股木材を折り畳んだ状態で保持できるため、この状態で収納や運搬を行うことができる。
【００２８】
さらに、図５(a)に示すように、クリップ機構４のクリップレバー41を手で持って天板１下面から離した状態で長脚股木材２を起立させた後、図５(b)に示すように、当該起立させた長脚股木材２のバー材22をクリップレバー41の凹溝41aに嵌装させれば、長脚股木材２の立脚状態を安定的に保持することができるため、この状態で卓面レベルの高いテーブルＴとして使用することが可能となる(図６、図７参照)。
【００２９】
なお実施例１では、ヒンジ部Ｈのアガキ(回転抵抗)によっても長脚股木材２及び短脚股木材３の各バー材(22及び32)の折畳み状態を保持可能としているため、クリップ機構４のクリップレバー41と各バー材(22及び32)と間に隙間がある場合でも特に問題は生じることはないが、例え脚部股木材が自重で起立しそうになった場合でも、クリップレバー41によりバー材の回転が制止されて脚部股木材の起立を抑えることができる。
【００３０】
また上記と同様の方法で、クリップ機構４のクリップレバー41におけるもう一方の凹溝41aに、起立させた短脚股木材３のバー材32を嵌装させれば、短脚股木材３の立脚状態を安定保持することも可能となるため、この状態で卓面レベルの低い座卓Ｚとして使用することも可能となる(図８、図９参照)。
【００３１】
また、上記クリップ機構４は、天板１下方の死角位置にクリップレバー41がくるように設けているため、天板１及び長脚股木材２、短脚股木材３が漆塗りのデザインであったとしても高級感を損なうようなことはない。
【００３２】
他方また、上記座卓兼用テーブルの構造に関しては、長脚股木材２及び短脚股木材３を天板下面に折り畳み自在に取着して、クリップ機構４を取り付けるだけの非常にシンプルな構造であるため、製造効率を向上して製造コストの低減を図ることもできる。
【００３３】
本考案は、概ね上記のように構成されるが、本考案は図示の実施形態に限定されるものでは決してなく、「実用新案登録請求の範囲」の記載内において種々の変更が可能であって、例えば、天板１の大きさ・形状は用途に合わせて自由に変更することができ、また、天板１に円状のものや大型のものを使用するする場合には、長脚股木材２及び短脚股木材３を必要に応じて３つ以上設けることも可能である。
【００３４】
また、長脚股木材２の股間域に複数の短脚股木材３・３を入れ子式に設けることも可能であり、そのような構造を採用することによって卓面レベルを段階的に調節することも可能となる。
【００３５】
他方また、クリップ機構４に関しては、長脚股木材２及び短脚股木材３の両バー材(22及び33)とクリップレバー41の間にできるだけ隙間が生じないようにクリップレバー41の形状や取り付け位置・角度を変更することができる。
【００３６】
また、天板１及び長脚股木材２、短脚股木材３の材料についても、木材以外にも木質材料やプラスチック材料などを適宜選択して使用することができ、何れのものも本考案の技術的範囲に属する。
【産業上の利用可能性】
【００３７】
近年、個人の生活スタイルが洋風化したことにより、旅館等の宿泊施設においても座卓でなく椅子付きのテーブルの使用を求める声が多く、このような宿泊客の要望にできるだけ低予算で対応できる手法を施設側は模索している。また、一般家庭においても、来客を迎える際には同様の問題があり、特に一般家庭では生活空間が限られているため収納スペースを確保することが非常に難しい。
【００３８】
そのような中で、本考案の卓面レベル可変式の座卓兼用テーブルは、一脚で宿泊客や来客の要望に対応できるだけでなく、設備費用や収容スペースの問題も解消できる有用な技術であることから、市場における需要は大きく、その産業上の利用価値は非常に高い。
【符号の説明】
【００３９】
１  天板
２  長脚股木材
21  脚柱
22  バー材
23  補強材
３  短脚股木材
31  脚柱
32  バー材
４  クリップ機構
41  クリップレバー
41a  凹溝
42  枢支部材
43  スプリング材
Ｈ  ヒンジ部材
Ｔ  テーブル
Ｚ  座卓
【図１】
0003153234.tif 000003
【図２】
0003153234.tif 000004
【図３】
0003153234.tif 000005
【図４】
0003153234.tif 000006
【図５】
0003153234.tif 000007
【図６】
0003153234.tif 000008
【図７】
0003153234.tif 000009
【図８】
0003153234.tif 000010
【図９】
0003153234.tif 000011